(57)【要約】【課題】使用者がジグリングを行っている際の位置ずれを抑制することができる運動器具を提供する。【解決手段】運動器具１は、使用者の両足が載置される載置部（平滑面５ａ）と、円弧部５ｂ（曲面）を有し、載置部に載置された使用者の両足が交互に動作することで所定範囲に亘って回動する本体部５と、本体部５の水平面内における移動を規制する規制手段と、を備える。規制手段は、本体部５の円弧部５ｂの一部を除去することによって形成された溝部５ｃと、溝部５ｃに嵌め合わされる柱状体３と、を有する。【選択図】図１
2019187604.tif 000002
【特許請求の範囲】
【請求項１】
使用者の両足が載置される載置部と、
円弧部を有し、前記載置部に載置された使用者の両足が交互に動作することで所定範囲に亘って回動する本体部と、
前記本体部の水平面内における移動を規制する規制手段と、を備え、
前記規制手段は、
前記本体部の前記円弧部の一部を除去することによって形成された凹部と、
前記凹部に嵌め合わされる凸部と、を有することを特徴とする運動器具。
【請求項２】
床面に設置され前記凸部を上面に固定したベース部をさらに備えたことを特徴とする請求項１に記載の運動器具。
【発明の詳細な説明】
【技術分野】
【０００１】
本発明は、使用者が両足を交互に上下させる運動に供する運動器具に関する。
【背景技術】
【０００２】
血行の促進やストレス解消、運動不足の簡易的な解消手段として、両足を交互に小刻みに上下させる運動・動作、いわゆる「貧乏ゆすり」が効果的であるといわれている（以下、この動作を「ジグリング」と称する）。近年では、車椅子での生活を余儀なくされている高齢者の運動不足を解消する手段としても注目されている。
【０００３】
そこで従来、車椅子等に着座した姿勢でジグリングを簡単に行える足踏み器具が提案されている（例えば特許文献１）。特許文献１に示す足踏み器具は、円柱を平滑面に対して直交する方向から切断した形状を有しており、平滑な面は足置き部となっている。使用者は円弧の頂点部を床等に接触させ、この状態で足置き部に両足を載置したうえで交互に上下させる。これにより、使用者はジグリングを連続して行えるようになっている。
【先行技術文献】
【特許文献】
【０００４】
【特許文献１】特開２０１６−７３５９７号公報
【発明の概要】
【発明が解決しようとする課題】
【０００５】
しかしながら上記従来技術では、足踏み器具の一側を使用者の足で押し下げた際、押し下げ時の力によって足踏み器具が所定位置から予期せぬ方向へ移動してしまい（水平面内における位置ずれ）、一定の位置でジグリングを連続してスムーズに行うことができないといった事態が生じていた。このように従来技術では、位置ずれを抑制しつつジグリングを連続して行うことが困難であった。
【０００６】
そこで本発明は、位置ずれを抑制しつつジグリングを連続して行うことができる運動器具を提供することを目的とする。
【課題を解決するための手段】
【０００７】
本発明の運動器具は、使用者の両足が載置される載置部と、円弧部を有し、前記載置部に載置された使用者の両足が交互に動作することで所定範囲に亘って回動する本体部と、前記本体部の水平面内における移動を規制する規制手段と、を備え、前記規制手段は、前記本体部の前記円弧部の一部を除去することによって形成された凹部と、前記凹部に嵌め合わされる凸部と、を有する。
【発明の効果】
【０００８】
本発明によれば、位置ずれを抑制しつつジグリングを連続して行うことができる。
【図面の簡単な説明】
【０００９】
【図１】（ａ）（ｂ）本発明の実施の形態１における運動器具の模式的な全体斜視図
【図２】本発明の実施の形態１における運動器具の模式的な（ａ）正面図（ｂ）（ｃ）側面図
【図３】（ａ）本発明の実施の形態１における運動器具の模式的な図２（ｂ）で示すＡ−Ａ’矢視図（ｂ）本発明の実施の形態１における運動器具の図２（ｃ）で示すＢ−Ｂ’矢視図
【図４】（ａ）（ｂ）本発明の実施の形態１における運動器具の模式的な構造説明図
【図５】本発明の実施の形態１における運動器具の模式的な正面図
【図６】（ａ）（ｂ）（ｃ）本発明の実施の形態１における運動器具の使用例を示す図
【図７】本発明の実施の形態２における運動器具の模式的な（ａ）正面図（ｂ）平面図（ｃ）側面図（ｄ）図７（ｃ）で示すＣ−Ｃ’矢視図
【図８】本発明の実施の形態２における運動器具の模式的な構造説明図
【図９】本発明の実施の形態２における運動器具の模式的な構造説明図
【図１０】（ａ）（ｂ）本発明の実施の形態２における運動器具の使用例を示す図
【発明を実施するための形態】
【００１０】
（実施の形態１）
図１−５を参照して、本発明の実施の形態１における運動器具を説明する。図３（ａ），（ｂ）は、それぞれ図２（ｂ），（ｃ）に示すＡ−Ａ’矢視図、Ｂ−Ｂ’矢視図である。運動器具１は、使用者の両足を踵側から交互に小刻みに上下させる運動・動作、すなわち使用者の両足の運動（ジグリング）に供するものである。
【００１１】
運動器具１は、床面Ｆ（図６）上に載置される矩形のベース部２を備えている。ベース部２の上面には、ベース部２の長手方向に延びた凸部としての柱状体３が固定されている。すなわち、ベース部２は柱状体３を下方から支持する。ベース部２の下面には、滑り止め部材としてのゴムシート４が設けられており、これによりベース部２が床面Ｆに対して横滑りしないようになっている。以下、ベース部２の長辺と平行な方向をＸ軸方向、Ｘ軸方向と水平面内で直交する方向をＹ軸方向、ＸＹ平面に対して直交する方向をＺ軸方向と定義する。
【００１２】
ベース部２には回動体としての本体部５が該ベース部２に対して、所定範囲に亘って回動自在に設けられている。本体部５は、例えば円柱状の部材を平滑面に対して直交する方向から切断することで、正面視して円弧状（半円状）に成形されている。これにより、本体部５は切断面が平滑面５ａとなっており、且つ、本体部５の平滑面５ａを除く周方向に沿って円弧部５ｂが形成されている。すなわち、円弧部５ｂは曲面を有する。ベース部２、柱状体３、本体部５は、例えば木材から成る。
【００１３】
図２（ｂ），（ｃ）及び図３（ａ），（ｂ）において、本体部５は円弧部５ｂ（曲面）を部分的に除去することにより、所定範囲に亘って形成された凹部としての溝部５ｃを有する。実施の形態１では、円弧部５ｂ（曲面）の頂部Ｔ１（図３（ｂ））を起点に周方向に沿って部分的に除去することによって、溝部５ｃが形成されている。溝部５ｃを形成する範囲は鈍角が望ましい。図２（ｃ）において、溝部５ｃを形成する本体部５の表面５ｃ１，５ｃ２，５ｃ３は、例えば粗面加工によって「粗」となっている。
【００１４】
図２（ｂ）に示すように、溝部５ｃの幅方向の長さ寸法ｔ１は、柱状体３の幅方向の長さ寸法と略同一、或いは柱状体３の長さ寸法よりも若干大きく設定されている。図３（ａ）に示すように、溝部５ｃの深さｔ２は柱状体３の高さ（Ｚ軸方向の長さ寸法）と略同一に設定されている。柱状体３を溝部５ｃに嵌め合わせることで、本体部５はベース部２及び柱状体３に対して、水平方向を軸心として回動自在に支持される。
【００１５】
本体部５は溝部５ｃが形成された範囲内でベース部２及び柱状体３に対して円弧部５ｂ（曲面）に沿って回動する。したがって図４（ａ），（ｂ）に示すように、本体部５の平滑面５ａの一方の端部５ａ１は、使用者のジグリングにより所定距離Ｓに亘ってＺ軸方向に移動する。実施の形態１において、溝部５ｃの両端部の高さ位置はそれぞれ同じであるため、本体部５の平滑面５ａの一方の端部５ａ２側も所定距離Ｓを移動する。
【００１６】
本体部５の平滑面５ａは、使用者の両足Ｌ１，Ｌ２（図６）が載置される載置部となっている。なお、図５に示すように、使用者の身体的特徴（例えば身長）に応じて、平滑面５ａの長手方向における長さ寸法よりも大きいサイズの板状部材６を平滑面５ａ上に固定し、この板状部材６を載置部としてもよい。また、使用者の両足Ｌ１，Ｌ２が接触する平滑面５ａ上の位置、或いは板状部材６上の位置に、ゴムシート等の滑り止め部材を設けてもよい。
【００１７】
実施の形態１における運動器具１は以上のように構成される。次に図６を参照して、運動器具１の使用例を説明する。まず図６（ａ）に示すように、使用者は運動器具１を床面Ｆ上に設置する。なお、ジグリング開始前における運動器具１の基本姿勢は、本体部５の円弧部５ｂの頂部Ｔ１がベース部２に最も接近する位置、言い換えれば平滑面５ａが水平となる位置にある。
【００１８】
次いで使用者は、一方の足Ｌ１と他方の足Ｌ２のそれぞれを平滑面５ａの両側に載置する。次いで図６（ｂ）に示すように、使用者が一方の足Ｌ１を踵側から下方に動かすことで（矢印ａ）、本体部５は溝部５ｃと柱状体３との嵌合を維持しつつ矢印ｂ方向に回動するとともに、他方の足Ｌ２が上方に移動する。すなわち、本体部５は柱状体３から離脱することなく、柱状体３によって幅方向（柱状体３の長手方向と水平面内で直交するＹ軸方向）への移動（位置ずれ）が規制される。なお、溝部５ｃを形成する本体部５の表面５ｃ１，５ｃ２，５ｃ３は「粗」となっており、ジグリング時には本体部５の表面５ｃ１，５ｃ２，５ｃ３が柱状体３の表面上を摺動するので、本体部５は柱状体３の長手方向（Ｘ軸方向）への横滑りも抑制される。
【００１９】
次いで図６（ｃ）に示すように、使用者が他方の足Ｌ２を踵側から下方に動かすことで（矢印ｃ）、本体部５は溝部５ｃと柱状体３との嵌合を維持しつつ矢印ｄ方向に回動するとともに、一方の足Ｌ１が上方に移動する。そして、使用者が一方の足Ｌ１と他方の足Ｌ２を小刻みに交互に上下させることで（ジグリング）、本体部５は往復により回動する（矢印ｂ→矢印ｄ→矢印ｂ→矢印ｄ・・・）。
【００２０】
このように、本体部５は円弧部５ｂ（曲面）を有し、載置部に載置された使用者の両足Ｌ１，Ｌ２が交互に動作することで、円弧部５ｂの周方向に沿って所定範囲に亘って回動する。また、ベース部２、柱状体３、本体部５に形成された溝部５ｃは、本体部５の水平面内における移動を規制する規制手段となっている。また、溝部（凹部）５ｃは本体部５の円弧部５ｂ（曲面）に沿って形成され、柱状体（凸部）３はベース部２を介して床面Ｆに対して設置され、一の方向に延び且つ溝部５ｃに嵌め合わされる。さらにベース部２は、床面Ｆに設置され柱状体３を上面に固定する。
【００２１】
以上説明したように、実施の形態１における運動器具１によれば、使用者がジグリングを行う際の本体部５の位置ずれを抑制することができ、その結果としてジグリングを一定の位置において連続して行うことができる。
【００２２】
（実施の形態２）
次に図７，８，９を参照して、本発明の実施の形態２における運動器具を説明する。実施の形態１，２における運動器具１，１０とでは、凹部と凸部の形状が異なる。すなわち、運動器具１０が備えるベース部１１の上面には、円柱状の部材を平滑面に対して直交する方向から切断することで、両端から中央に亘って弧を描きながら隆起した凸部としての隆起部１２が設けられている。すなわち、隆起部１２は曲面を有し、正面視して略半円状に成形されている。
【００２３】
本体部１３の主形状は実施の形態１における本体部５と同様であり、上面には載置部としての平滑面１３ａが形成されている。本体部１３において、円弧部１３ｂ（曲面）の頂部Ｔ２（図９）を中心とした略中央部には、弧（円弧）を描きながら部分的に除去することで、正面視して略半円状に形成された凹部としての溝部１３ｃが形成されている。図７（ｃ）に示すように、溝部１３ｃの幅方向の長さ寸法ｔ３は、隆起部１２の幅方向の長さ寸法と略同一、或いは隆起部１２の幅方向の長さ寸法よりも若干大きく設定されている。したがって、溝部１３ｃを介して本体部１３を隆起部１２に嵌合させた状態では、本体部１３の幅方向（Ｙ軸方向）における移動が規制される。
【００２４】
図９において、溝部１３ｃの縁部を沿うようにして形成される仮想円Ｃ１の径は、隆起部１２の縁部を沿うようにして形成される仮想円Ｃ２の径よりも大きくなるように設定されている。また、頂部Ｔ２がベース部１１に最も接近する位置に合わせて本体部１３を隆起部１２に嵌合させたとき、仮装円Ｓ１，Ｓ２のそれぞれは中心点Ｒを中心として同心円状に位置する。したがって、溝部１３ｃを形成する縁部と隆起部１２との間には、一定の幅ｔ４のクリアランス（遊び代）が生じる。本体部１３は、溝部１３ｃを介して隆起部１２に嵌合された状態において、前述したクリアランスに応じた範囲で水平面内方向への移動が許容されるとともに、ベース部１１及び隆起部１２に対して回動することができる（矢印ｅ）。図９では便宜上、本体部１３とベース部１１を離している。
【００２５】
図１０（ａ），（ｂ）に示すように、使用者が本体部１３の平滑面１３ａに両足Ｌ１，Ｌ２を載置した状態で小刻みに上下させることで、本体部１３はクリアランスに応じた範囲で円弧部１３ｂ（曲面）をベース部１１に接触させながら回動する（矢印ｆ→矢印ｇ→矢印ｆ→矢印ｇ・・・）。本体部１３の回動時においては、溝部１３ｃのエッジ部Ｅ１，Ｅ２に隆起部１２がそれぞれ接触することで、本体部１３の長手方向（Ｘ軸方向）への移動が規制される。すなわち、実施の形態２における運動器具１０によれば、ジグリング時における本体部１３のＸＹ方向への移動を規制することができる。
【００２６】
本発明に係る運動器具は、発明の趣旨を逸脱しない範囲で設計変更が可能である。例えば、柱状体３の形状は任意であり、溝部５ｃに嵌合可能であって、ベース部２に対して一の方向に延びた凸状のものであればよい。また、本体部５の上面に足が収容されるサイズの凹部を設け、この凹部に足を収容してジグリングを行うようにしてもよい。また、本体部５が有する載置部（平滑面５ａ）は表面に凹凸があってもよい。さらに、実施の形態２における運動器具１０では、本体部１３に複数の溝部１３ｃを形成し、溝部１３ｃの数に応じた隆起部１２をベース部１１に設けてもよい。
【産業上の利用可能性】
【００２７】
本発明によれば、位置ずれを抑制しつつジグリングを連続して行うことができ、高齢者の運動不足を解消するツールとして特に有用である。
【符号の説明】
【００２８】
１，１０  運動器具
２，１１  ベース部
３  柱状体（凸部）
５，１３  本体部
５ａ，１３ａ  平滑面（載置部）
５ｂ，１３ｂ  円弧部
５ｃ，１３ｃ  溝部（凹部）
１２  隆起部（凸部）
Ｆ  床面
【図１】
2019187604.tif 000003
【図２】
2019187604.tif 000004
【図３】
2019187604.tif 000005
【図４】
2019187604.tif 000006
【図５】
2019187604.tif 000007
【図６】
2019187604.tif 000008
【図７】
2019187604.tif 000009
【図８】
2019187604.tif 000010
【図９】
2019187604.tif 000011
【図１０】
2019187604.tif 000012